(57)【要約】【課題】  ＢＤ、ＨＤ  ＤＶＤに対して１つの半導体レーザから出射した光束を偏光の切替えにより、ディスクを選択する光ピックアップ装置において、フロントモニタを共通化し、切替えのための制御を不要とするとともに、安定した光量制御を実現する。【解決手段】半導体レーザと、前記半導体レーザから出射した光束を光ディスクに照射するための２つの対物レンズと、前記光ディスクから反射した前記光束を受光する光検出器と、前記半導体レーザから出射した光束の偏光を動的に制御する偏光可変素子と、前記偏光可変素子に対して前記レーザ光源と反対方向に配置されるビームスプリッタと、前記偏光可変素子と前記ビームスプリッタの光路の間に配置される１つのフロントモニタを備えた光ピックアップ装置において、前記偏光可変素子とフロントモニタの光路の間にフォトニック結晶を配置する。【選択図】図４
2008108387.tif 000002
【特許請求の範囲】
【請求項１】
半導体レーザと、
前記半導体レーザから出射した光束を光ディスクに照射する対物レンズと、
前記光ディスクから反射した光束を受光する光検出器と、
前記半導体レーザから出射した光束の一部を受光するフロントモニタと、
前記半導体レーザとフロントモニタの光路の間に前記フロントモニタに入射する光量を調整するための光量調整素子と、
を備えた光ピックアップ装置であって、
前記光量調整素子は、所定の直線偏光を透過し、前記所定の直線偏光と直行する直線偏光を反射する機能を有するフォトニック結晶であることを特徴とする光ピックアップ装置。
【請求項２】
半導体レーザと、
前記半導体レーザから出射した光束を第１の光ディスクおよび第２の光ディスクにそれぞれ照射する第１の対物レンズおよび第２の対物レンズと、
前記第１の光ディスクおよび前記第２の光ディスクから反射した光束を受光する光検出器と、
前記半導体レーザから出射した光束の偏光を制御する偏光可変素子と、
前記偏光可変素子に対して前記レーザ光源と反対方向に配置されるビームスプリッタと、
前記偏光可変素子と前記ビームスプリッタ間の光束の一部を受光するフロントモニタを備えた光ピックアップ装置であって、
前記偏光可変素子とフロントモニタの光路の間に前記フロントモニタに入射する光量を調整するための光量調整素子を配置することを特徴とする光ピックアップ装置。
【請求項３】
請求項２記載の光ピックアップ装置であって、
前記ビームスプリッタは、偏光ビームスプリッタであり、前記偏光可変素子から透過した光束が所定の偏光となったときに、前記第１の対物レンズに入射し、前記偏光可変素子から透過した光束が前記所定の偏光と直交する偏光となったときに、前記第２の対物レンズに入射するような光学系構成であり、前記偏光可変素子を透過した光束は前記所定の偏光成分を含む偏光となり、前記光量調整素子は、前記所定の偏光成分を前記フロントモニタに導くことを特徴とする光ピックアップ装置。
【請求項４】
請求項３記載の光ピックアップ装置において、
前記所定の偏光はＰ偏光またはＳ偏光の何れかであることを特徴とする光ピックアップ装置。
【請求項５】
請求項２記載の光ピックアップ装置において、
前記ビームスプリッタは、偏光ビームスプリッタであり、前記偏光可変素子から透過した光束が所定の偏光となったときに、前記第１の対物レンズに入射し、前記偏光可変素子から透過した光束が前記所定の偏光と直交する偏光となったときに、前記第２の対物レンズに入射するような光学系構成であり、前記光量調整素子は、前記所定の偏光とは異なる偏光成分を前記フロントモニタに導くことを特徴とする光ピックアップ装置。
【請求項６】
請求項２ないし５記載の光ピックアップ装置において、
前記光量調整素子は所定の直線偏光のみを透過する偏光子であり、前記光量調整素子の光軸回りの回転により前記フロントモニタに入射する光量を調整することを特徴とする光ピックアップ装置。
【請求項７】
請求項２ないし６記載の光ピックアップ装置において、
前記光量調整素子は、所定の直線偏光を透過し、前記所定の直線偏光と直交する直線偏光を反射する機能を有するフォトニック結晶であり、前記光量調整素子を光軸回りに回転することで前記フロントモニタに入射する光量を調整する特徴を持つ光ピックアップ装置。
【請求項８】
半導体レーザと、
前記半導体レーザから出射した光束を第１の光ディスクおよび第２の光ディスクにそれぞれ照射する第１の対物レンズおよび第２の対物レンズと、
前記第１の光ディスクまたは前記第２光ディスクから反射した前記光束を受光する光検出器と、
前記半導体レーザから出射した光束の偏光を動的に制御する偏光可変素子と、
前記偏光可変素子に対して前記レーザ光源と反対方向に配置されるビームスプリッタと、
前記偏光可変素子と前記ビームスプリッタ間の光束の一部を受光するフロントモニタを備えた光ピックアップ装置であって、
前記フロントモニタは、前記レーザから出射した光束のうち前記ビームスプリッタを透過または反射した後の光束の一部を受光することを特徴とする光ピックアップ装置。
【請求項９】
請求項１ないし８記載の光ピックアップ装置と、前記光ピックアップ装置内における前記半導体レーザを駆動するレーザ点灯回路と、前記対物レンズの出射光量をモニタするフロントモニタと、前記フロントモニタの信号から対物レンズの出射光量を制御するコントロール回路と、前記光ピックアップ装置内の前記光検出器から検出された信号を用いてフォーカス誤差信号やトラッキング誤差信号を生成するサーボ信号生成回路と、光ディスクに記録された情報信号を再生する情報信号再生回路とを搭載した光学的情報再生装置または光学的情報記録再生装置。
【発明の詳細な説明】
【技術分野】
【０００１】
本発明は、光ピックアップ装置および光ディスク装置に関する発明である。
【背景技術】
【０００２】
本技術分野の背景技術としては、例えば特開２００１−９３１８３号公報や特開２００３−２１７１６０号公報などがある。特開２００１−９３１８３号公報には、課題として「使用する偏光ビームスプリッタの製造時の特性上のばらつきに関係なく、モニタ用光検出器と対物レンズに向かう光量の比率を製品間で一定になるように調整することができる光ピックアップを提供する。」と記載があり、解決手段として「光ディスクに情報を記録再生する光ピックアップにおいて、レーザ光源から出射する読み書き用のレーザ光の偏光方向を光軸を中心として回転させることで変える１／２波長板２８と、前記１／２波長板から出力するレーザ光の光量を検出して、この検出結果が一定値となるように、前記レーザ光源のレーザ光出力を制御するために使用するモニタ用光検出器２２と、前記１／２波長板から出力するレーザ光を前記光ディスクに向かう光路と前記モニタ用光検出器に向かう光路とに分割する偏光ビームスプリッタ８とを備え、前記１／２波長板をその光軸を回転中心として少なくとも０度から４５度以内の範囲で回転調整可能にする。これにより、使用する偏光ビームスプリッタの製造時の特性上のばらつきに関係なく、モニタ用光検出器と対物レンズに向かう光量の比率を製品間で一定になるように調整する。」と記載がある。
【０００３】
また、特開２００３−２１７１６０号公報には、課題として「２つの光源のフロントモニタを一つの光検出器を共用して行う光ピックアップにおいて、モニタ対象の光源を切り替えるための制御を不要にするとともに、２つの光源の安定したフロントモニタを実現する。」と記載があり、解決手段として「第１の光源２１のフロントモニタ感度の設定をアンプ２８のゲインの選定により行う一方、第２の光源２２のフロントモニタ感度の設定については、第２の光源２２と光検出器２７との間の光路上に遮光板３１を配置し、この遮光板３１を移動させて第２の光源２２から光検出器２７への入射光量を調整(制限)することによって行うようにする。」と記載がある。
【０００４】
【特許文献１】特開２００１−９３１８３号公報
【特許文献２】特開２００３−２１７１６０号公報
【発明の開示】
【発明が解決しようとする課題】
【０００５】
光ピックアップ装置による情報の記録および再生において、安定した記録または再生処理を行うために、光ディスクに照射する光束の光量を所定光量にする必要がある。このため、一般的に記録型の光ピックアップ装置には、半導体レーザから出射する光束の光量を検出する手段（以下、フロントモニタと呼ぶ）を有しており、このフロントモニタにより検出された光量を半導体レーザの制御回路にフィードバックすることで、ディスク上に照射する光束の光量を所定量に制御することが可能になる。
【０００６】
光ピックアップ装置内でフロントモニタにより光束の光量を検出する方法としては、様々な方法が知られている。例えば特許文献１では、半導体レーザから出射した光束の一部を直接フロントモニタに導く構成となっており、対物レンズ有効径外の光束をフロントモニタに導くようにしているため、対物レンズに向かう光束の光量を低下させることがない等の特徴をもつ。
【０００７】
また、ＣＤとＤＶＤに対応した光ピックアップ装置についても様々なフロントモニタの構成が知られている。例えば特許文献２ではＣＤまたはＤＶＤの光量を制限することでＣＤとＤＶＤのフロントモニタを共用化しており、部品点数を削減する等の特徴をもつ。
【０００８】
ところが、次世代の光ディスクであるＢＤとＨＤ  ＤＶＤに対し、同一の半導体レーザから出射した光束をフロントモニタに導く方式およびフロントモニタで検出する光量を調整する方法については明らかになっていない。
【０００９】
本発明は、同一の半導体レーザを用いた場合のＢＤとＨＤ  ＤＶＤのフロントモニタ配置およびフロントモニタ光量の調整方法を実現することを目的とする。
【課題を解決するための手段】
【００１０】
上記目的は、その一例として特許請求の範囲に記載の発明によって達成できる。
【発明の効果】
【００１１】
本発明によれば、同一の半導体レーザを用いた場合のＢＤとＨＤ  ＤＶＤのフロントモニタ配置およびフロントモニタ光量の調整方法を実現することができる。
【発明を実施するための最良の形態】
【００１２】
以下、本発明の実施例を説明する。
【実施例１】
【００１３】
図１は本発明の第１の実施例に係る光ピックアップ装置の一例を示した概略構成図である。
【００１４】
ＢＤ、ＨＤ  ＤＶＤ互換光ピックアップ装置１は、図１のように駆動機構７によって光ディスク１００の半径方向に駆動することができるように構成されている。また光ピックアップ装置上のアクチュエータ５にはＢＤに対応した対物レンズ２、ＨＤ  ＤＶＤに対応した対物レンズ３が搭載されており、各対物レンズから光ディスク上に光が照射される。対物レンズ２または対物レンズ３から出射した光束はディスク上にスポットを形成し、ディスクを反射する。この反射光を検出することで光ディスク上の情報を再生することが可能となる。また記録の場合には、ディスク上のスポット光強度を変化させることによりディスク上に記録する。
【００１５】
上記のような光ピックアップ装置において、図２は光学系構成について示している。半導体レーザ５０からは、波長略４０５ｎｍのＳ偏光の光束が発散光として出射される。半導体レーザ５０から出射した光束は回折格子５１により３つの光束に分岐される。回折格子５１を透過した光束は、液晶などの偏光可変素子１１に入射する。
【００１６】
偏光可変素子１１に入射したＳ偏光の光束は選択的にＳ偏光のみまたはＰ偏光のみまたはＳ偏光とＰ偏光に変換できる。なお、偏光可変素子１１は波長板を出し入れするのでも問題ない。
【００１７】
まず、偏光可変素子１１を透過した光束がＰ偏光の場合について説明する。偏光可変素子１１を透過した光束は偏光ビームスプリッタ５２（以下ＰＢＳと呼ぶ）に入射する。ＰＢＳ５２は、入射した光束がＰ偏光の場合には透過し、Ｓ偏光の場合には反射する。このため、偏光可変素子１１を透過した光束はそのまま透過する。ＰＢＳ５２を透過した光束はミラー５３により反射し、コリメートレンズ５４に入射する。コリメートレンズ５４は光軸方向に駆動できる機構となっており、光束の発散・収束状態を変えることで、光ディスク１００のカバー層の厚み誤差による球面収差を補償することに使用される。コリメートレンズ５４を透過した光束は、立ち上げミラー５５を反射、１／４波長板５６を透過後、円偏光となる。円偏光となった光束がアクチュエータ５に搭載された対物レンズ２によりＢＤ用光ディスク１００上に集光される。
【００１８】
ＢＤ用光ディスク１００により反射した光束は、対物レンズ２、１／４波長板５６を透過する。円偏光の光束は１／４波長板５６によりＳ偏光となる。Ｓ偏光の光束は立ち上げミラー５５、コリメートレンズ５４、ミラー５３を経てＰＢＳ５２を反射する。ＰＢＳ５２を反射した光束は、検出レンズ６０を透過し、光検出器６１に入射する。
【００１９】
次に、偏光可変素子１１を透過した光束がＳ偏光の場合について説明する。偏光可変素子１１を透過した光束はＰＢＳ５２で反射する。ＰＢＳ５２を反射した光束は、コリメートレンズ５７に入射する。コリメートレンズ５７は光軸方向に駆動するができる機構となっており、光束の発散・収束状態を変えることで、ＨＤ  ＤＶＤ用光ディスク１００のカバー層の厚み誤差による球面収差を補償することに使用される。なお、コリメートレンズ５７は光軸方向に駆動しなくても問題はない。
【００２０】
コリメートレンズ５７を透過した光束は、立ち上げミラー５８を反射、１／４波長板５９を透過後、円偏光となる。円偏光となった光束がアクチュエータ５に搭載された対物レンズ３によりＨＤ  ＤＶＤ用光ディスク１００上に集光される。
【００２１】
ＨＤ  ＤＶＤ用光ディスク１００により反射した光束は、対物レンズ３、１／４波長板５９を透過する。円偏光の光束は１／４波長板５９によりＰ偏光となる。Ｐ偏光の光束は立ち上げミラー５８、コリメートレンズ５７を経てＰＢＳ５２を透過する。ＰＢＳ５２を透過した光束は、検出レンズ６０を透過し、光検出器６１に入射する。
【００２２】
このような構成でフロントモニタ９は、偏光可変素子１１の後の光路に配置しており、偏光可変素子１１を透過した対物レンズに対して有効径外の光束を検出する。また、偏光可変素子１１とフロントモニタ９の間には偏光子８を搭載していることを特徴としている。
【００２３】
ここでフロントモニタ９について説明する。まず半導体レーザ５０から出射した光束の一部がフロントモニタ５０に入射する。フロントモニタ５０には受光部があり、そこに光束が入射すると光量に応じた電流を発生する。光ピックアップ装置または光学的再生装置または光学的記録再生装置では、この電流をアンプによって増幅し、モニタ電圧に変換する。さらに、光学的再生装置または光学的記録再生装置ではモニタ電圧と基準電圧を比較し、光ピックアップ装置１上の対物レンズ２または対物レンズ３の出射量が適切になるよう制御を行う。このように、２つの対物レンズの出射量をフロントモニタ９により制御するためには、フロントモニタ９の受光面感度を独立に設定する必要がある。このため、フロントモニタ９には受光面感度を調整する機構を内蔵させることができる。受光面感度の調整が２つの場合には、２つの可変抵抗を配置する。この可変抵抗を、アンプ対してアナログスイッチで切り替えることで実現できる。例えば、片方の可変抵抗はＢＤ、もう一方の可変抵抗はＨＤとすることで個別に調整することができる。ところが、ＢＤ、ＨＤ  ＤＶＤの再生時に課題が起こる。これについて以下、説明を行う。
【００２４】
ＢＤやＨＤ  ＤＶＤに使用する４０５ｎｍの半導体レーザはレーザノイズが大きいため、再生の場合に限っては半導体レーザの出射光量を上げることでレーザノイズを抑える方法が取られている。これに伴って対物出射光量が上がってしまい、記録用ディスクを再生しようとしても、ディスクに記録してしまう課題が発生する。そこでこの課題を解決するために、一般的に用いられているのが、偏光を用いたアッテネート方式である。再生用のアッテネート方式について図２のＢＤ光学系で説明する。なお、ＨＤ  ＤＶＤについても同様であるので説明は省略する。
【００２５】
半導体レーザ５０からは、波長略４０５ｎｍのＳ偏光の光束が発散光として出射される。半導体レーザ５０から出射した光束は液晶などの偏光可変素子１１に入射する。なお、偏光可変素子１１は波長板を出し入れするのでも問題ない。
【００２６】
偏光可変素子１１によりＳ偏光、Ｐ偏光の両偏光の光束に変換され、ＰＢＳ５２に入射する。ＰＢＳ５２に入射した光束のうちＰ偏光成分は透過し、Ｓ偏光成分は反射する。このため、実質的にＢＤ光学系の光量を減らすことができるのである。ＰＢＳ５２透過後については上記と重複するため省略する。
【００２７】
このように、再生時であってもＢＤ、ＨＤ  ＤＶＤ共通光路中は、Ｐ偏光、Ｓ偏光が存在するためフロントモニタ５２の入射光量は大きい。このため、ＢＤ、ＨＤ  ＤＶＤの記録時と再生時の（対物レンズ出射量）／（ＦＭの光量）が大きく異なり、記録と再生をカバーするためにはさらに可変抵抗を搭載する必要がある。
【００２８】
ここで、光ピックアップ装置１ではＢＤとＨＤ  ＤＶＤの記録または再生によってフロントモニタを制御する信号端子が必要となる。しかしながら、ＢＤ、ＨＤ  ＤＶＤ、ＤＶＤ、ＣＤ互換の光ピックアップ装置では、光学的再生装置または光学的記録再生装置と接続するフレキシブル印刷基板（以下、ＦＰＣと呼ぶ）の信号線の数が多くなるため、制御端子を増設することは設計上回避したいという要望がある。また、スリム型光ピックアップ装置では、ＦＰＣの信号線の数に制約があるため、制御端子を増設することは設計上回避したいという要望がある。さらに、ＢＤとＨＤ  ＤＶＤの記録と再生で（対物レンズ出射量）／（ＦＭの光量）が大きく異なることで、接続する２つの可変素子の抵抗値の差が大きくなり、安定したアンプの動作を実現することが難しくなるという課題がある。
【００２９】
そこで本発明では、対物レンズ有効径外の光束を反射するミラー６２と、その光束を検出するフロントモニタ９の間に偏光子８を配置した。この偏光子８は片方の偏光成分のみを透過する光学素子である。
【００３０】
例えば、ＢＤの記録と再生、ＨＤ  ＤＶＤの再生に対応した図２の構成の光ピックアップ装置１を考える。ここで偏光子８は、Ｓ偏光成分のみを透過するよう配置したとする。この時、Ｓ偏光はＰＢＳ５２を透過する偏光なのでＢＤの対物レンズ出射光量に対応する光量が検出される。このためＢＤに関しては問題なく可変抵抗を設定できる。また、ＨＤ  ＤＶＤについてはＰ偏光の光束は検出されないものの偏光可変素子１１によって変換されたＳ偏光が検出される。この検出信号をモニタすることでＰ偏光の出射量を換算できるため、結果としてＨＤ  ＤＶＤの対物出射光量を制御することが可能となる。さらに、偏光子６２をＳ偏光透過からＰ偏光透過側に回転させることでＢＤとＨＤ  ＤＶＤの効率等を考慮したフロントモニタ９への光量調整が可能となる。このように、フロントモニタ９前に偏光子８を配置することで、フロントモニタ９の可変抵抗が１つであってもＢＤ、ＨＤ  ＤＶＤの対物出射光量を制御することができる。これにより、信号線の数を少なくし、安定したアンプが行える。
【００３１】
また、これについてはＢＤの再生、ＨＤ  ＤＶＤの記録と再生に対応したの光ピックアップ装置およびＢＤ、ＨＤ  ＤＶＤの記録と再生に対応した光ピックアップ装置でも同様の効果が得られることは言うまでもない。
【実施例２】
【００３２】
図３は本発明の第２の実施例に係る光ピックアップ装置の光学系構成について示している。実施例１との違いは、偏光可変素子１１の後にフォトニック結晶７を配置し、その反射光をフロントモニタ９で検出している点である。
【００３３】
フォトニック結晶４は、片方の偏光（例えばＰ偏光）を反射し、それと反対の偏光（例えばＳ偏光）を透過する性質を持たせることが可能である。この性質を用いることで実施例１のようにフロントモニタ９に入射する光量を調整することが可能となる。
【００３４】
さらに、フォトニック結晶７を用いることで以下の利点がある。一般的な偏光子であるグラントムソンプリズムは、入射した光をＰ偏光成分とＳ偏光成分に分離することができる。ところが、光ピックアップ装置は、大きさの制約があるため、グラントムソンプリズム等の偏光子の搭載は困難である。このため、光ピックアップ装置で使える平板の偏光子は、片方の偏光を吸収し、もう一方の偏光を透過するような偏光子となる。このような偏光子は、光エネルギーを吸収するため偏光子は熱を発生し、透過率が変化してしまうことがある。このため高精度に光強度を制御することが困難となる。また、高強度の光を照射すると効率が劣化する等の光耐性の観点で課題を有する。これらの課題に対して、偏光子にフォトニック結晶を用いることでこれを解決できる。フォトニック結晶は、平板の偏光子を作成可能であり、片方の偏光（例えばＰ偏光）を反射し、それと反対の偏光（例えばＳ偏光）を透過するため、入射した光エネルギーは、光エネルギーを内部に貯めない。これにより、上記した課題を解決できるのである。このため高精度に光強度を制御することが可能となる。
【００３５】
ここでは、ＢＤとＨＤ  ＤＶＤのフロントモニタの検出方法を示したが、図４（１）、（２）のような光学系構成で記録方式がＢＤ、ＨＤ  ＤＶＤ、ＤＶＤ、ＣＤの場合であっても、フォトニック結晶４の偏光子を透過、反射させることでフロントモニタの入射光量を調整し、高精度に光強度を制御することが可能となることについては言うまでもない。
【実施例３】
【００３６】
図５は本発明の第３の実施例に係る光ピックアップ装置の光学系構成について示している。実施例１との違いは、ＢＤの光路中のみにフロントモニタ９を配置している点である。このような構成で、例えば、ＢＤの記録と再生、ＨＤ  ＤＶＤの再生に対応した光ピックアップ装置の対物レンズ出射光量を制御できるのである。それについて以下で説明する。
【００３７】
まずＢＤの記録と再生については、フロントモニタはＢＤ光路中から検出しているため、ＢＤの対物レンズ出射光量に対応する光量が検出される。次に、ＨＤ  ＤＶＤについてはＰ偏光の光束は検出されないものの偏光可変素子１１によって変換されたＳ偏光が検出される。この検出信号をモニタすることでＨＤ  ＤＶＤの対物出射光量を制御することが可能となる。
【００３８】
また、偏光可変素子１１を透過する時に偏光方向を制御することでＢＤとＨＤ  ＤＶＤの効率等を考慮したフロントモニタへの光量調整が可能となり、最小数の可変抵抗でフロントモニタ９を制御することができる。さらに、このようにＢＤとＨＤ  ＤＶＤの対物出射光量を制御すると、配置する場所が共通光路中でなければならないという制約がなくなるため、光ピックアップ装置の小型化ができる。
【００３９】
ここでは、対物レンズ有効径外の光束をフロントモニタ９により検出したが、例えば、ミラー５３を透過した光束を検出しもよいことは言うまでもない。
【００４０】
さらに、これについてはＢＤの再生、ＨＤ  ＤＶＤの記録と再生に対応した光ピックアップ装置に対してＨＤ  ＤＶＤの光路中から検出することやＢＤ、ＨＤ  ＤＶＤの再生に対応した光ピックアップ装置に対してＢＤまたはＨＤ  ＤＶＤの光路中から検出することでも同様の効果が得られることは言うまでもない。
【実施例４】
【００４１】
実施例４では、光ピックアップ装置１を搭載した、光学的再生装置について説明する。図６は光学的再生装置の概略構成である。光ピックアップ装置１は、光ディスク１００の半径方向に沿って駆動できる機構が設けられており、アクセス制御回路１７２からのアクセス制御信号に応じて位置制御される。
レーザ点灯回路１７７からは所定のレーザ駆動電流が光ピックアップ装置１内の半導体レーザに供給され、半導体レーザからは再生に応じて所定の光量でレーザ光が出射される。なお、レーザ点灯回路１７７は光ピックアップ装置１内に組み込むこともできる。
【００４２】
光ピックアップ装置１内の光検出器から出力された信号は、サーボ信号生成回路１７４および情報信号再生回路１７５に送られる。サーボ信号生成回路１７４では前記光検出器からの信号に基いてフォーカス誤差信号、トラッキング誤差信号ならびにチルト制御信号などのサーボ信号が生成され、これを基にアクチュエータ駆動回路１７３を経て光ピックアップ装置１内のアクチュエータを駆動して、対物レンズの位置制御がなされる。
【００４３】
前記情報信号再生回路１７５では、前記光検出器からの信号に基づいて光ディスク１００に記録されている情報信号が再生される。
【００４４】
前記サーボ信号生成回路１７４および情報信号再生回路１７５で得られた信号の一部はコントロール回路１７６に送られる。このコントロール回路１７６にはスピンドルモータ駆動回路１７１、アクセス制御回路１７２、サーボ信号生成回路１７４、レーザ点灯回路１７７、球面収差補正素子駆動回路１７９などが接続され、光ディスク１００を回転させるスピンドルモータ１８０の回転制御、アクセス方向およびアクセス位置の制御、対物レンズのサーボ制御、ディスク基板厚さの違いによる球面収差の補正、さらには、光ピックアップ装置１のフロントモニタ信号１８１を検出し、半導体レーザ発光光量の制御を行う。
【実施例５】
【００４５】
実施例５では、光ピックアップ装置１を搭載した、光学的記録再生装置について説明する。図７は光学的記録再生装置の概略構成である。この装置で前記図６に説明した光学的情報記録再生装置と相違する点は、コントロール回路１７６とレーザ点灯回路１７７の間に情報信号記録回路１７８を設け、情報信号記録回路１７８からの記録制御信号に基づいてレーザ点灯回路１７７の点灯制御を行って、光ディスク１００へ所望の情報を書き込む機能が付加されている点である。
【図面の簡単な説明】
【００４６】
【図１】実施例に係る光ピックアップ装置の一例を示した概略構成図
【図２】実施例に係る光ピックアップ装置の光学系構成
【図３】実施例に係る光ピックアップ装置の光学系構成
【図４】実施例に係る光ピックアップ装置の光学系構成
【図５】実施例に係る光ピックアップ装置の光学系構成
【図６】実施例の光学的記録再生装置のブロック図
【図７】実施例の光学的記録再生装置のブロック図
【符号の説明】
【００４７】
１：光ピックアップ装置、２：対物レンズ、３：対物レンズ、４：フォトニック結晶、５：アクチュエータ、７：駆動機構、９：フロントモニタ、１０：対物レンズ、５０：半導体レーザ、５１：回折格子、５２：偏光ビームスプリッタ、５３：ミラー、５４：コリメートレンズ、５５：立ち上げミラー、５６：１／４波長板、５７：コリメートレンズ、５８：立ち上げミラー、５９：１／４波長板、６０：検出レンズ、６１：検出器、６２、６３：ミラー、１００：光ディスク、１５０：半導体レーザ、１５１：回折格子、１５２：偏光ビームスプリッタ、１５３：ミラー、１５４：コリメートレンズ、１５５：立ち上げミラー、１５６：１／４波長板、１５７：コリメートレンズ、１５８：立ち上げミラー、１５９：１／４波長板、１６０：検出レンズ、１６１：検出器、１７１：スピンドルモータ、１７２：アクセス制御、１７３：アクチュエータ駆動回路、１７４：サーボ信号生成回路、１７５：情報信号再生回路、１７６：コントロール回路、１７７：レーザ点灯回路、１７８：情報記録回路、１７９：球面収差補正素子駆動回路、１８０：スピンドルモータ、１８１：フロントモニタ信号
【図１】
2008108387.tif 000003
【図２】
2008108387.tif 000004
【図３】
2008108387.tif 000005
【図４】
2008108387.tif 000006
【図５】
2008108387.tif 000007
【図６】
2008108387.tif 000008
【図７】
2008108387.tif 000009